(57)【要約】交換可能な構成部品を有する楽器。楽器は楽器のための基体を与えるコア部分（１８）及びコア部分に着脱可能に取り付けられるボディ部分（１１）を備えることができる。ボディ部分を別のボディ部分へ交換することにより、楽器の音質、構造特性または美的特性を変えることができる。楽器は、例えばギターなどの弦楽器であってもよいし、木管楽器、金管楽器または打楽器であってもよい。
2005529370.tif 000002
【特許請求の範囲】
【請求項１】
交換可能な構成部品を有する楽器において、
前記楽器に構造的支持を与えるためのコア部分、及び
前記コア部分に着脱可能に取り付けることができるボディ部分
を備えることを特徴とする楽器。
【請求項２】
前記ボディ部分が単一の構成部品からなることを特徴とする請求項１に記載の楽器。
【請求項３】
前記ボディ部分が複数の構成部品からなることを特徴とする請求項１に記載の楽器。
【請求項４】
前記ボディ部分が第１の区画及び第２の区画を有することを特徴とする請求項１に記載の楽器。
【請求項５】
前記第１の区画が第１の溝を有し、前記第２の区画が第２の溝を有することを特徴とする請求項４に記載の楽器。
【請求項６】
前記第１の溝または前記第２の溝内に配置された、前記楽器の共鳴を変えるための少なくとも１つの構造体をさらに備えることを特徴とする請求項５に記載の楽器。
【請求項７】
前記楽器の共鳴を変えるための前記少なくとも１つの構造体がリブであることを特徴とする請求項５に記載の楽器。
【請求項８】
前記リブが前記楽器の外部に露出していることを特徴とする請求項７に記載の楽器。
【請求項９】
前記ボディ部分が前記楽器の共鳴特性を変えることを特徴とする請求項１に記載の楽器。
【請求項１０】
前記ボディ部分が前記楽器の音色を変えることを特徴とする請求項１に記載の楽器。
【請求項１１】
前記リブが前記楽器の共鳴特性を変えることを特徴とする請求項７に記載の楽器。
【請求項１２】
前記リブが前記楽器の音色を変えることを特徴とする請求項７に記載の楽器。
【請求項１３】
前記コア部分が単一の構成部品で形成されていることを特徴とする請求項１に記載の楽器。
【請求項１４】
前記コア部分が複数の構成部品で形成されていることを特徴とする請求項１に記載の楽器。
【請求項１５】
前記コア部分が電子回路／部品を備えることを特徴とする請求項１に記載の楽器。
【請求項１６】
前記ボディ部分が固定具で前記コア部分に取り付けられることを特徴とする請求項１に記載の楽器。
【請求項１７】
前記ボディ部分が中実であることを特徴とする請求項１に記載の楽器。
【請求項１８】
前記ボディ部分が中空であることを特徴とする請求項１に記載の楽器。
【請求項１９】
前記ボディ部分が半中空であることを特徴とする請求項１に記載の楽器。
【請求項２０】
前記ボディ部分が末端開放型であることを特徴とする請求項１に記載の楽器。
【請求項２１】
前記ボディ部分が末端密閉型であることを特徴とする請求項１に記載の楽器。
【請求項２２】
前記ボディ部分が木材でつくられていることを特徴とする請求項１に記載の楽器。
【請求項２３】
前記ボディ部分が金属でつくられていることを特徴とする請求項１に記載の楽器。
【請求項２４】
前記ボディ部分がプラスチックでつくられていることを特徴とする請求項１に記載の楽器。
【請求項２５】
前記ボディ部分がカーボンファイバでつくられていることを特徴とする請求項１に記載の楽器。
【請求項２６】
前記ボディ部分が複合材でつくられていることを特徴とする請求項１に記載の楽器。
【請求項２７】
前記コア部分が木材でつくられていることを特徴とする請求項１に記載の楽器。
【請求項２８】
前記コア部分が金属でつくられていることを特徴とする請求項１に記載の楽器。
【請求項２９】
前記コア部分がプラスチックでつくられていることを特徴とする請求項１に記載の楽器。
【請求項３０】
前記コア部分がカーボンファイバでつくられていることを特徴とする請求項１に記載の楽器。
【請求項３１】
前記コア部分が複合材でつくられていることを特徴とする請求項１に記載の楽器。
【請求項３２】
前記楽器が弦楽器であることを特徴とする請求項１に記載の楽器。
【請求項３３】
前記楽器が木管楽器であることを特徴とする請求項１に記載の楽器。
【請求項３４】
前記楽器が金管楽器であることを特徴とする請求項１に記載の楽器。
【請求項３５】
前記楽器が打楽器であることを特徴とする請求項１に記載の楽器。
【請求項３６】
前記楽器がギターであることを特徴とする請求項１に記載の楽器。
【請求項３７】
前記ボディ部分がギターのボディであることを特徴とする請求項１に記載の楽器。
【請求項３８】
前記コア部分がギターのネックであることを特徴とする請求項１に記載の楽器。
【請求項３９】
前記ボディ部分が着脱可能に前記コア部分に取り付けられることを特徴とする請求項１に記載の楽器。
【請求項４０】
弦楽器において、ネック部分及びボディ部分を備え、前記ボディ部分が前記ネック部分に着脱可能に取り付けることができることを特徴とする弦楽器。
【請求項４１】
前記ボディ部分が単一の構成部品を備えることを特徴とする請求項４０に記載の弦楽器。
【請求項４２】
前記ボディ部分が複数の構成部品を備えることを特徴とする請求項４０に記載の弦楽器。
【請求項４３】
前記ボディ部分が第１の区画及び第２の区画を有することを特徴とする請求項４０に記載の弦楽器。
【請求項４４】
前記弦楽器がギターであることを特徴とする請求項４０に記載の弦楽器。
【請求項４５】
前記ボディ部分が前記ネック部分に着脱可能に取り付けられることを特徴とする請求項４０に記載の弦楽器。
【請求項４６】
交換可能な構成部品を有する楽器の作成方法において、前記楽器を構造的に支持するためのコア部分を提供する工程、前記コア部分に着脱可能に取り付けることができるボディ部分を提供する工程、及び前記ボディ部分を前記コア部分に取り付ける工程を含むことを特徴とする方法。
【発明の詳細な説明】
【関連出願の説明】
【０００１】
本発明の実施形態は、本明細書に参照として含まれ、優先権主張の基礎となる、２００２年６月６日に出願された、名称を「弦楽器」とする米国仮特許出願第６０/３８６３６５号に関わる。
【技術分野】
【０００２】
本発明は楽器の分野に関し、特に、別の構成部品と交換することができる構成部品を有する楽器に関する。
【背景技術】
【０００３】
楽器における技術革新はそれほど頻繁ではない。多くの楽器の基本設計は数百年の間変わっていない。例えば、現代のバイオリンは本質的に、１６世紀に有していた基本設計と同じ基本設計を今でも有する。今日、我々の知っているピアノの基本設計は、１８世紀初頭の出現時から今でもそれほど変わっていない。多くの木管楽器及び金管楽器についても同じことがいえる。
【０００４】
楽器における最新の真の革新の１つは１９４０年代と１９５０年代に起こり、このとき、レス・ポールとレオ・フェンダーの先駆的業績がギターをアコースティック楽器から電気楽器に変身させた。現代の電気ギターでは、コイルを磁石ポールピースに巻き付けることで形成された磁気“ピックアップ”が、ギターの、一部がポールピースの磁場内に配置されている金属弦の振動を検出する。金属弦の振動がポールピースの磁場を変調し、続いて磁場の変調がコイルの捲線に電流信号を誘起する。この信号は、信号を可聴音に増幅する電気増幅器に送られる。
【０００５】
ギター奏者は、ギターのピックアップを変えることにより、電気ギターでつくられる音を変えることができる。こうして得られた音は、多種多様なスタイルで利用でき、多種多様な音質をもつ。しかし、ギターでつくられる音は振動する弦から発生する。ギターのピックアップはギターの弦の振動がどのように処理されるかに影響を及ぼすことができるが、弦の振動の性質、したがってギターの音質または音色を決定するのはギター自体の構造特性である。すなわち、ギブソンのレス・ポール並びにフェンダーのストラトキャスター及びテレキャスターのような伝説的な電気ギターが独特の音質を有するのは、これらのギターに用いられた特定のタイプのピックアップのみならず、ギター自体の独特の構造設計及び形状によるものでもある。
【０００６】
現代の楽器の欠点の１つは楽器の構造の静的な性質である。従来、演奏者が、例えば特定の音色または音質を有するバイオリンを購入した場合、そのバイオリンの音、外観及び人間工学的要素は変えることができない。バイオリンの音は第一義的に、静的で不変のバイオリンの構造特性によって決まる。演奏者が最終的にその特定のバイオリンの音に飽きるかまたは幻滅してしまえば、演奏者には別のバイオリンを購入する以外に選択の余地はない。他の楽器にも同じことがいえる。これが、従来、非常に多くの演奏者が新しい楽器を購入する際に労を惜しまずに膨大な時間をかけていた理由の１つである。購入がなされてしまえば、演奏者は、バイオリンであれ、ピアノであれ、ギターであれ、木管楽器であれ、金管楽器であれ、またはその他の楽器であれ、楽器の音、外観及び人間工学的要素に“縛り付けられる”から、演奏者は、自分がその楽器の音に完全に満足であることを確かめなければならなかった。
【発明の開示】
【発明が解決しようとする課題】
【０００７】
楽器奏者が、楽器の好みのフィーリングは維持しながら、楽器の音質、外観及び人間工学的要素を変えることができる手段を提供する。
【課題を解決するための手段】
【０００８】
本発明の実施態様は交換可能な構成部品を有する楽器に関する。本発明の実施形態により、演奏者が単に楽器の１つまたはそれより多くの構成部品を別の構成部品と交換することで楽器の音質、外観及び人間工学的要素を変えることが可能となる。本発明の実施形態により、単に楽器の１つまたはそれより多くの構成部品を別の構成部品と交換することで演奏者が楽器の美的要素を変えることも可能となる。本発明の実施形態によれば、単に楽器の１つまたはそれより多くの電気部品または電子部品を別の電気部品または電子部品と交換することで演奏者が楽器の音質を変えることも可能になる。
【０００９】
本発明の一実施態様にしたがえば、交換可能な部品を有する楽器は、楽器の基体を提供するためのコア部分及びコア部分に着脱可能に取り付けることができるボディ部分を備えることができる。ボディ部分は単一の構成部品を有するかまたは複数の構成部品を有することができる。ボディ部分は第１の区画及び第２の区画を有することもできる。第１の区画は第１の溝を有することもでき、第２の区画は第２の溝を有することもできる。第１の溝及び第２の溝内にリブを配置することもできる。リブは楽器の外部に露出させることができる。
【００１０】
本発明の別の実施態様にしたがえば、コア部分は、単一の構成部品または複数の構成部品で形成することができる。コア部分は電子回路／部品を備えることができる。ボディ部分は固定具でコア部分に着脱可能に装着できる。
【００１１】
本発明の別の実施態様にしたがえば、ボディ部分は、中実であっても、中空であっても、半中空であってもよい。さらに、ボディ部分は末端開放型または末端密閉型とすることができる。ボディ部分は、木材、金属、プラスチック、カーボンファイバまたは複合材でつくることができる。さらに、コア部分は、木材、金属、プラスチック、カーボンファイバまたは複合材でつくることができる。
【００１２】
本発明の別の実施態様にしたがえば、楽器は、例えばギターのような弦楽器であってもよい。さらに、楽器は、木管楽器、金管楽器または打楽器であってもよい。
【００１３】
本発明の別の実施態様にしたがえば、楽器のボディ部分はギターのボディであってもよい。さらに、コア部分はギターのネックであってもよい。
【００１４】
本発明の別の実施態様にしたがえば、ギターはネック部分及びボディ部分を有することができ、ボディ部分はネック部分に着脱可能に取り付けることができる。ボディ部分は単一の構成部品を有するかまたは複数の構成部品を有することができる。さらに、ボディ部分は第１の区画及び第２の区画を有することもできる。ボディ部分はネック部分に着脱可能に取り付けることができる。
【００１５】
本発明の別の態様にしたがえば、交換可能な構成部品を有する楽器の作成方法は、楽器を構造的に支持するためのコア部分を提供する工程、コア部分に着脱可能に取り付けることができるボディ部分を提供する工程及びボディ部分をコア部分に取り付ける工程を含むことができる。
【発明を実施するための最良の形態】
【００１６】
以下の好ましい実施形態の説明においては、本明細書の一部をなし、本発明を実施することができる特定の実施形態を例として示す添付図面が参照される。他の実施形態を利用することもでき、本発明の好ましい実施形態の範囲を逸脱することなく構造変更がなされ得ることは当然である。
【００１７】
以下の説明は主として、例えば６弦ギターなどの弦楽器に向けられるが、本発明の実施形態はいかなる楽器にも適合させることができることを理解すべきである。例えば、７弦ギター、８弦ギター、１０弦ギター、１２弦ギター、テナーギター、４弦ベースギター、５弦ベースギター、６弦ベースギター等といった、６弦ギターとは別のタイプのギターを本発明の実施形態に適合させることもできる。さらに、例えば、バンジョー、ウクレレ、マンドリン等といった、別の弦楽器、並びに、例えば、バイオリン、ビオラ、チェロ及びコントラバスといった伝統的なオーケストラの弦楽器も、本発明の実施形態に適合させることができる。
【００１８】
しかし、本発明の実施形態は弦楽器に限定されない。例えば、ピッコロ、フルート、オーボエ、クラリネット、リコーダー及びバスーン等のような、木管楽器、並びに、トランペット、フレンチホルン、トロンボーン、チューバ、サキソホン等のような、金管楽器に本発明の実施形態を適合させることができる。例えば、マリンバ、ビブラホン、ドラム、シンバル、ティンパニ、グロッケンシュピール、木魚、チャイム、シェーカー等のような、打楽器に本発明の実施形態を適合させることができる。
【００１９】
本発明の一実施形態にしたがう交換可能な構成部品を有する楽器１０が図１におおまかに示されている。本発明の一実施形態にしたがう交換可能な構成部品を有する楽器１０の斜視図が図２に示される。図１に示される交換可能な構成部品を有する楽器１０はギターであり、例えば、コア部分１８及びボディ部分１１を備えることができ、ボディ部分１１は第１のボディ区画１２ａ及び第２のボディ区画１２ｂを有する。第１のボディ区画１２ａ及び第２のボディ区画１２ｂは、例えばネジのような、１つまたはそれより多くの取り外し可能な固定具を用いてコア部分１８に着脱可能に取り付けることができる。
【００２０】
ボディ部分１１は様々な形状及び寸法をとることができる。ボディ部分１１は単一の構成部品として形成することができ、あるいは２つまたはそれより多くの構成部品として形成することができる。本発明の一実施形態にしたがえば、ボディ部分を形成する複数のボディ区画を１つまたはそれより多くのコア部分に着脱可能に取り付けて、楽器を形成することができる。図１に示される本発明の実施形態において、ボディ部分１１は、コア部分１８に着脱可能に取り付けられる、第１のボディ区画１２ａ及び第２のボディ区画１２ｂの、２つの個別部品で形成される。
【００２１】
第１のボディ区画１２ａ及び第２のボディ区画１２ｂは様々な態様の輪郭につくることができる。第１のボディ区画１２ａ及び第２のボディ区画１２ｂの輪郭は使用者に望まれる音色または音質により規定することができ、あるいは使用者により望まれる外観または人間工学的要素で規定することができる。例えば、第１のボディ区画１２ａ及び第２のボディ区画１２ｂの輪郭は、例えば、ギターでつくられ得る１つまたはそれより多くの周波数帯を強めるかまたは弱めるように形成してもよい。第１のボディ区画１２ａ及び第２のボディ区画１２ｂの輪郭は、例えば、高周波数側を弱め、低周波数側を強めるために形成してもよいし、あるいは、高周波数側を強め、低周波数側を弱めるように形成してもよい。
【００２２】
第１のボディ区画１２ａ及び第２のボディ区画１２ｂは多種多様なボイスが得られるように設計することもできる。例えば、本発明の一実施形態にしたがえば、第１のボディ区画１２ａ及び第２のボディ区画１２ｂを、アコースティックギターに見られるものと同様に中空のサウンドチャンバを形成するように設計してもよい。中空サウンドチャンバは、２つの中空部品を互いに結合して得ることができ、あるいは、別の実施形態において、コア部分に取り付けられる単一の中空部品で形成することができる。
【００２３】
本発明の別の実施形態にしたがえば、第１のボディ区画１２ａ及び第２のボディ区画１２ｂを、電気−アコースティックギターまたは半中空ボディ電気ギターにあるものと同様の、半中空サウンドチャンバを形成するように設計することができる。半中空サウンドチャンバは、２つの半中空部品を互いに結合して得ることができ、あるいは、別の実施形態において、コア部分に取り付けられる単一の半中空部品で形成することができる。
【００２４】
本発明の別の実施形態にしたがえば、ボディ部分１１は、例えば、ピックアップ、変換器、スイッチ、コントロール、光等のような、電気部品または電子部品を収めるように設計してもよい。電気部品または電子部品はボディ部分内でスタンドアローンとすることができ、あるいは、コア部分１８上に配置された１つまたはそれより多くの構成部品とインターフェースするようにボディ部分１１に組み込むことができる。例えば、独特の音質を有する追加のピックアップをボディ部分１１に組み込んで、コア部分１８上またはコア部分１８内に配置されたピックアップ電子回路／部品とインターフェースさせることができる。
【００２５】
さらに、第１のボディ区画１２ａ及び第２のボディ区画１２ｂは単に、美的目的のため、外観または見かけのため、または人間工学的要素のために、形成することができる。第１のボディ区画１２ａ及び第２のボディ区画１２ｂは、より伝統的な態様で形成することができ、あるいは、楽器には極めて風変わりな態様で形成することもできる。
【００２６】
図１に示される本発明の実施形態において、第１のボディ区画１２ａは第１の溝１４ａを有することができ、第２のボディ区画１２ｂは第２の溝１４ｂを有することができる。第１及び第２の溝１４ａ，１４ｂは、とりわけ、第１及び第２のボディ区画１２ａ，１２ｂに対して独特の共鳴特性を与え、この共鳴特性は、続いて、ギターの弦（図示せず）に独特の振動特性を与える。次いで、弦の独特の振動特性をギター上のピックアップで検出することができ、次いで、ピックアップは弦の独特の振動特性を表す信号を独特の音質を有する可聴音をつくるための増幅器に送ることができる。さらに、第１及び第２の溝１４ａ，１４ｂは、とりわけ、１つまたはそれより多くのリブ１６，あるいは別の共鳴強化構造体または共鳴変更構造体を配置または挿入するための領域を提供する。リブ１６は第１のボディ区画１２ａ及び第２のボディ区画１２ｂの振動を独特の態様で伝えることができ、したがって、楽器独特の音質が得られる。本発明の一実施形態にしたがえば、第１のボディ区画１２ａ及び第２のボディ区画１２ｂはリブ１６を貫通して延びる固定具を用いてコア部分１８に取り付けることができる。
【００２７】
本発明の実施形態にしたがえば、コア部分１８は様々な態様で形成することができる。例えば、コア部分１８は単一部品とすることができ、あるいは複数の部品を互いに結合して形成することができる。例えば、図１に示される実施形態において、コア部分１８は木材から彫り出された単一部品とすることができるギターネックであり、その一部が第１のボディ区画１２ａ及び第２のボディ区画１２ｂで囲まれている。あるいは、コア部分１８は２つまたはそれより多くの相異なる個別部品で形成されたギターネックとすることができる。例えば、コア部分１８はギターネック並びにフレット及びフレット線を有するネックで形成されたボディ部品並びにピックアップ及びその他の電子回路／部品を収めるボディとすることができる。コア部分１８はコア部分の第１の端部にヘッドストック２０及びチューニングペグ２２を有し、コア部分の第２の端部にピックアップ２４及びブリッジ２６を有することもできる。
【００２８】
特定の楽器に特有のその他の品々もコア部分１８に有することができる。例えば、コア部分１８がギターネック及びボディ部品であれば、コア部分は、トーンコントロール、音量コントロール、ピックアップセレクタスイッチ、コードソケット、電池仕切等を有することができる。また、コア部分１８がギターネック及びボディ部品であれば、ギターネックは、フレットボード及びフレット線、チューニング機構をもつヘッドストック並びにピックアップ及びその他の電子回路／部品のための区画を有することができる。
【００２９】
本発明の一実施形態にしたがう交換可能な構成部品を有する楽器１０の分解組立図が図３に示される。第１のボディ区画１２ａ及び第２のボディ区画１２ｂは、コア部分１８に取り付けるか、付属させることができる２つの相異なる部品として形成される。図３に示される本発明の実施形態にしたがえば、コア部分１８は、独特の音質及び独特のボイスを有する楽器を形成するために第１のボディ区画１２ａ及び第２のボディ区画１２ｂを取り付けることができる、単一の部品である。
【００３０】
第１のボディ区画１２ａ及び第２のボディ区画１２ｂは様々な方法でコア部分１８に取り付けることができる。本発明の一実施形態にしたがうコア部分１８に第１のボディ区画１２ａ及び第２のボディ区画１２ｂを取り付ける方法を図４に見ることができる。第１のボディ区画１２ａ及び第２のボディ区画１２ｂには、それを貫通して、例えばネジのような、固定具がコア部分１８の留付け点に到達するように延びることができる、取付け点３０を設けることができる。望ましければ、固定具はコア部分１８上の留付け点に達する前にリブ１６を通って延びていてもよい。
【００３１】
ボディ部分１３が単一の構成部品として形成されている、本発明の一実施形態にしたがう交換可能な構成部品を有する楽器３２が図５に示される。図５において、ボディ部分１３内に存在する位置決め領域４０内にコア部分１８を配置することができる。コア部分１８は、例えば図４に示されるような固定具を用いるなど、様々な方法でボディ部分１３に取り付けることができる。
【００３２】
ボディ部分１５が第１のボディ区画５０ａ及び第２のボディ区画５０ｂで形成されている、本発明の別の実施形態にしたがう交換可能な構成部品を有する楽器３４が図６に示される。図６において、第１のボディ区画１５ａ及び第２のボディ区画５０ｂ内に存在する位置決め領域４２内にコア部分１８を配置することができる。コア部分１８は、例えば図４に示されるような固定具を用いるなど、様々な方法でボディ部分１５に取り付けることができる。
【００３３】
ボディ部分が第１のボディ区画１７ａ，第２のボディ区画１７ｂ及び第３のボディ区画１７ｃで形成されている、本発明の別の実施形態にしたがう交換可能な構成部品を有する楽器２３が図７に示される。図７において、第１のボディ区画１７ａ，第２のボディ区画１７ｂ及び第３のボディ区画１７ｃは、例えば図４に示されるような固定具を用いるなど、様々な方法でコア部分１８に取り付けることができる。
【００３４】
第１のボディ区画２１ａ及び第２のボディ区画２１ｂを有するボディ部分が図８に示される。図８において、第１のボディ区画２１ａ及び／または第２のボディ区画２１ｂは、コア部分を受け入れることができる領域２５を有することができる。図８に示される本発明の実施形態において、第１のボディ区画２１ａ及び第２のボディ区画２１ｂはコア部分を囲む“貝殻”を形成する。第１のボディ区画２１ａ及び第２のボディ区画２１ｂは、例えば図４に示されたような固定具を用いるなど、様々な方法でコア部分に取り付けることができる。
【００３５】
本発明の一実施形態にしたがう、第１及び第２の溝１４ａ，１４ｂ内に配置することができるリブ１６の拡大図が図９に示される。リブ１６は、様々な理由のために設計することができ、図９に示されるリブの形状に加えて様々な形状をとることができる。例えば、本発明の一実施形態にしたがえば、リブ１６はギターの共鳴変更特性または共鳴強化特性を与えるために設計することができる。本発明の別の実施形態にしたがえば、リブ１６は第１のボディ区画１２ａ及び第２のボディ区画１２ｂに対する構造支持を与えるために設計することもできる。本発明のまた別の実施形態において、美的効果または視覚効果のためにリブ１６を設計してもよい。
【００３６】
本発明の一実施形態にしたがうコア部分１８の独立図が図１０に示される。図１０に示される実施形態において、コア部分１８はギターネックである。図１０に示される実施形態にしたがうコア部分１８は弦（図示せず）を取り付けることができるブリッジ２６及び弦の振動を検出するためのピックアップ２４を有するが、これらには限定されない。図１０に示されるコア部分１８は、例えば、トーン及び音量のような、パラメータを調節するためのコントロール６０及びピックアップ２４を選択するためのセレクタスイッチ６２も有するが、これらには限定されない。図１０に示される実施形態において、コア部分１８は単一の構成部品である。しかし、本発明の他の実施形態にしたがえば、コア部分１８を、互いに組み付けられて１つの構成部品を形成する複数の区画とすることもできる。
【００３７】
図１０の実施形態に示されるコア部分１８は複数のピックアップを備えることができ、あるいは、本発明の一実施形態にしたがえば、コア部分１８はアコースティックギターのネックであり、アコースティックギターにはピックアップをつけないでおくことができる。さらに、コア部分１８に備えられる全ての電子部品及び機械部品は、取り外し可能なように取り付けることができるボディ部分と同様の態様で、コア部分１８に取り外し可能なように取り付けられるように設計することができる。したがって、ボディ部分を交換することによる楽器の音色または音質の改変に加えて、演奏者は電子部品を交換することで楽器の音色または音質を調節することもできる。さらに、例えばコントロール６０及びセレクタスイッチ６２のような、機械部品をコア部分１８の異なる領域の間で交換されるように設計することができる。したがって、例えば図１０に示されるようなコア部分１８上のコントロール６０及びセレクタスイッチ６２の配置位置を演奏者が好まなければ、演奏者は図１０に示されるようなコア部分１８上のコントロール６０及びセレクタスイッチ６２を取り外して、コア部分１８上の別の位置に配置することができるコントロール及びセレクタスイッチと交換することができよう。演奏者は、それが望まれしければ、コア部分１８上のコントロール６０及びセレクタスイッチ６２を取り外して、より演奏者の好みに合うフィーリングまたは外観を有するコントロール及びセレクタスイッチと交換することもできよう。
【００３８】
本発明の別の実施形態にしたがうコア部分７０の独立図が図１１に示される。図１１に示される実施形態において、コア部分７０はギターネックである。さらに、図１１の実施形態に示されるコア部分７０は第１のコア区画７２ａ及び第２のコア区画７２ｂで形成されている。第１のコア区画７２ａは、１つまたはそれより多くの固定具７４により、着脱可能に第２のコア区画７１ｂに取り付けられる。固定具７４は、例えばネジのような、工業において普通の様々な固定具の内のいずれかとすることができる。
【００３９】
図１１に示される本発明の実施形態にしたがえば、特定のボディ部分の音色または音質には満足しているが、コア部分７０の音色またはフィーリングは変えたい演奏者は、第１のコア区画７２ａを別の第１のコア区画と交換することができよう。
【００４０】
図１２は図１に示される本発明の一実施形態のリブ１６を貫通する断面図を示す。図１２では、第１のボディ区画１２ａ及び第２のボディ区画１２ｂが固定具３１を用いて取付け点３０を介してコア部分１８に取り付けられている。第１のボディ区画１２ａ及び第２のボディ区画１２ｂが“末端開放型”であることを、図１２に容易に見てとることができる。さらに、図１２に示される本発明の実施形態において、第１のボディ区画１２ａ及び第２のボディ区画１２ｂは薄壁構造をもち、したがってリブ１６の領域を除く全ボディ領域を実質的に中空にしている。
【００４１】
図１３は図１に示される本発明の一実施形態のリブ１６に接する別の断面図を示す。図１３では、コアの一部が、楽器の使用に対して演奏者が望む電子部品またはその他の部品を収めるために用いることができる中空領域１９を有する。
【００４２】
再び図１を参照すると、本発明の一実施形態にしたがえば、ボディ部分１１は様々な材料でつくることができる。例えば、ボディ部分１１は、木材、金属、プラスチック、カーボンファイバ、複合材等でつくることができる。さらに、ボディ部分１１は材料を組み合わせてつくることができる。例えば、単一の構成部品として形成されたボディ部分１１の様々な部品を相異なる材料でつくることができる。本発明の別の実施形態にしたがえば、ボディ部分の相異なる区画を相異なる材料でつくることができる。例えば、第１のボディ区画１２ａを、カーボンファイバのような、一つの材料でつくるることができ、第２の区画１２ｂを、複合材のような、別の材料でつくることができる。
【００４３】
さらに、交換可能な構成部品を有する楽器１０のその他の構成部品も様々な材料でつくることができる。例えば、コア部分１８及びリブ１６を、木材、金属、プラスチック、カーボンファイバ、複合材等、または材料の組み合わせでつくることができる。本発明の一実施形態にしたがえば、コア部分１８がギターネックであれば、コア部分１８を、楓材、紫檀材、黒檀材またはこれらの木材の組み合わせでつくることができる。
【００４４】
コア部分８２及びボディ部分８４を有する、本発明の別の実施形態にしたがう交換可能な構成部品を有する楽器８０が図１４に示される。図１４に示される実施形態では、楽器はトランペットである。ボディ部分８４はコア部分８２に着脱可能に取り付けることができ、したがって、単にボディ部分８４を別のボディ部分８４と交換することにより、演奏者が楽器の音色または音質を変えることが可能になる。図１４に示される実施形態において、ボディ部分８４は２つの別々の構成部品を含んでいるが、本発明の実施形態にしたがえば、ボディ部分８４は、１つの構成部品、２つの構成部品または複数の構成部品を含むことができる。
【００４５】
本発明の実施形態の利点は容易に分かるであろう。利用できる様々なボディ部分を有することにより、単に１つまたはそれより多くのボディ部分を取り外して別のボディ部分と交換することで、演奏者は音色または音質を変えることができる。したがって、演奏者は、それぞれが独特の音色または音質を有する楽器をまとめて保有するのではなく、１つのコア部分及び複数のボディ部分を保有することができる。
【００４６】
本発明の実施形態は従来技術に優る数多くの利点を提供する。例えば、ギター奏者は、彼らのギターのネック、すなわち彼らのギターのコア部分のフィーリング及び演奏可能性に特にこだわるようになる。ギター奏者は一般に、彼らに常に“満足感”を与え、したがって、彼らの演奏を高揚させ、音楽的体感を高める、“お気に入りのギター”をもっている。本発明の実施形態にしたがえば、ギター奏者は、フィーリング及び演奏可能性の立場からギター奏者に合う、お気に入りのコア部分、すなわちお気に入りのネックを見つけだすことができ、そのコア部分を持ち続けて、複数のボディ部分とともに用いることができる。すなわち、ギター奏者は、単に、ギターのコア部分は持ち続けるが、ボディ部分は交換することによって、“お気に入り”のギターのフィーリングを失う必要なしに、ギターの音色または音質を変えることができる。
【００４７】
他の演奏者も本発明の実施形態に同様の利点を見いだすであろう。例えば、木管楽器及び金管楽器の演奏者は、特定のマウスピース、キーまたはパッドを特に好むようになり得る。本発明の実施形態を用いれば、木管楽器または金管楽器の演奏者は、例えばキー及びマウスピースを有する主サウンドチャンバのような、コア部分を持ち続け、サウンドチャンバの構造特性を変えて楽器の音色を変える様々なボディ部分を交換することができる。したがって、木管楽器または金管楽器の演奏者は、例えばマウスピース、キーまたはパッドのフィーリングを享受し続ける一方で、楽器の音質の範囲を大きく拡げることができる。
【００４８】
本発明の特定の実施形態を図示及び説明したが、本発明は図示及び説明した特定の実施形態に限定されず、添付される特許請求の範囲の精神及び範囲を逸脱することなく変更及び改変がなされ得ることが当業者には明らかであろう。
【図面の簡単な説明】
【００４９】
【図１】本発明の一実施形態にしたがう、交換可能な構成部品を有する楽器を示す
【図２】本発明の一実施形態にしたがう、交換可能な構成部品を有する楽器の斜視図を示す
【図３】本発明の一実施形態にしたがう、交換可能な構成部品を有する楽器の分解組立図を示す
【図４】本発明の一実施形態にしたがう、コア部分に取り付けられた第１のボディ区画及び第２のボディ区画を示す
【図５】本発明の一実施形態にしたがう、ボディ部分が単一の構成部品として形成された交換可能な構成部品を有する楽器を示す
【図６】本発明の別の実施形態にしたがう、ボディ部分が第１のボディ区画及び第２のボディ区画で形成された交換可能な構成部品を有する楽器を示す
【図７】本発明の別の実施形態にしたがう、ボディ部分が第１のボディ区画、第２のボディ区画及び第３のボディ区画で形成された交換可能な構成部品を有する楽器を示す
【図８】本発明の別の実施形態にしたがう、ボディ部分が第１のボディ区画及び第２のボディ区画で形成された交換可能な構成部品を有する楽器を示す
【図９】本発明の一実施形態にしたがう、ボディ部分の第１及び第２の溝の中に配置することができるリブの拡大図を示す
【図１０】本発明の一実施形態にしたがう、コア部分の独立図を示す
【図１１】本発明の別の実施形態にしたがう、コア部分の独立図を示す
【図１２】図１に示される本発明の一実施形態の、リブを貫通する断面図を示す
【図１３】図１に示される本発明の一実施形態の、リブに接する別の断面図を示す
【図１４】本発明の別の実施形態にしたがう、交換可能な構成部品を有する楽器を示す
【符号の説明】
【００５０】
１０    交換可能な構成部品を有する楽器
１１    ボディ部分
１２ａ，１２ｂ    ボディ区画
１４ａ，１４ｂ    溝
１６    リブ
１８    コア部分
２０    ヘッドストック
２２    チューニングペグ
２４    ピックアップ
【図１】
2005529370.tif 000003
【図２】
2005529370.tif 000004
【図３】
2005529370.tif 000005
【図４】
2005529370.tif 000006
【図５】
2005529370.tif 000007
【図６】
2005529370.tif 000008
【図７】
2005529370.tif 000009
【図８】
2005529370.tif 000010
【図９】
2005529370.tif 000011
【図１０】
2005529370.tif 000012
【図１１】
2005529370.tif 000013
【図１２】
2005529370.tif 000014
【図１３】
2005529370.tif 000015
【図１４】
2005529370.tif 000016
【国際調査報告】
2005529370.tif 000017
2005529370.tif 000018